(57)【特許請求の範囲】
【請求項１】
撮影レンズを透過した被写体光を反射光と透過光に分光するハーフミラーと、カメラの電源スイッチのオン・オフに関係なく前記反射光によって被写体像を常に観察することの可能な光学ファインダ系と、前記電源スイッチがオンのときには常に前記透過光によって被写体光の光電変換を行い撮影時には光電変換後の画像情報がメモリーに転送される撮像素子と、前記電源スイッチがオンのときには撮影時を除き常に前記撮像素子からの画像情報で被写体像を表示し観察することの可能なモニターと、前記撮像素子の前面に配置されており少なくとも前記電源スイッチがオンであって撮影をしていないときには露光開口を全開状態にしているフォーカルプレンシャッタと、を備えており、前記フォーカルプレンシャッタは、撮影時において順次一方向へ露光作動を開始する先羽根及び後羽根を備えていて、撮影時には、その初期段階で前記先羽根が前記露光開口を覆うことによって前記撮像素子の電荷を放出した後、前記先羽根と前記後羽根による露光作動が行われ、露光作動終了後は前記撮像素子に蓄積された画像情報を前記メモリーに転送した後、前記後羽根だけを復帰させ前記露光開口を開くようにしたことを特徴とするデジタル一眼レフカメラ。
【請求項２】
前記ハーフミラーが、前記撮像素子へ向かう光を直進させ、前記光学ファインダ系へ向かう光を略直角に反射するようにするために、前記撮影レンズの光軸に対して略４５度に傾斜して配置されており、前記フォーカルプレンシャッタの駆動機構が、前記露光開口の周辺近傍であって前記光学ファインダ系へ反射された光とは逆方向の位置に配置されていることを特徴とする請求項１に記載のデジタル一眼レフカメラ。
【請求項３】
前記露光開口が略長方形をしていて、前記光学ファインダ系は前記露光開口の一方の短辺側に配置され、前記駆動機構は前記露光開口の他方の短辺側に配置されていることを特徴とする請求項２に記載のデジタル一眼レフカメラ。
【請求項４】
前記駆動機構が、前記先羽根を作動させる先羽根用モータと、前記後羽根を作動させる後羽根用モータと、を備えていることを特徴とする請求項２又は３に記載のデジタル一眼レフカメラ。
【発明の詳細な説明】
【０００１】
【発明の属する技術分野】
本発明は、フォーカルプレンシャッタを備えたデジタル一眼レフカメラに関する。
【０００２】
【従来の技術】
フォーカルプレンシャッタを備えているデジタルカメラには、フィルムを使用するカメラと同様に、レンズ等の光学部品を透過した被写体光を直接観察するようにした光学ファインダを備えたものと、ＣＣＤなどの撮像素子で受光した被写体光を光電変換し、モニターを介して観察するようにした電子ビューファインダを備えたものとが知られている。そして、電子ビューファインダは、撮影される画枠で被写体像を観察することができるが、光学ファインダで視差のない観察を行えるようにするためには、ミラーやペンタプリズムなどを用いて一眼レフカメラに構成することが知られている。
【０００３】
ところで、このようなデジタルカメラに採用されるフォーカルプレンシャッタには、主に二つのタイプのものが知られている。その一つのタイプは、フィルムを用いるカメラに採用されているフォーカルプレンシャッタと同様に、先羽根と後羽根と称されている二つのシャッタ羽根を備えていて、撮影に際しては、それらを所定のタイミングで順に作動させ、それらが形成するスリットによって、撮像面を連続的に露光していくようにしたものである。そして、このタイプのシャッタは、光学ファインダを備えたカメラに採用した場合には、特に複雑な作動を行わせる必要がないが、電子ビューファインダを備えたカメラに採用した場合には、少なくとも電源がオンのときは、先羽根だけが露光作動終了位置にあって露光開口を全開にしており、撮影時には、先羽根が露光開口を閉鎖状態にしてから、露光作動を行うようにする必要がある。
【０００４】
また、もう一つのタイプのものは、シャッタ羽根を一つしか備えておらず、撮影前も撮影中も露光開口を全開にしており、撮影の終了段階でのみ露光開口を閉鎖状態にするものである。従って、シャッタ羽根に複雑な作動を行わせることなく、光学ファインダを備えたカメラにも、電子ビューファインダを備えたカメラにも採用することができるが、上記のタイプのシャッタの方が、高速のシャッタスピード（有効露出時間）を得るのには有利な構成ということができる。
【０００５】
他方、最近のカメラは電動化が進んでいて、レンズシャッタの場合には、デジタルカメラ用のシャッタに限らず、シャッタ羽根の開閉作動をモータで行うのが普通になってきた。また、フィルムを使用するカメラに採用されているフォーカルプレンシャッタの場合には、シャッタ羽根のセット作動の駆動源としてモータを使用するのが当たり前となっているが、露光作動を行わせるときにもモータで駆動するようにしたものも提案されている。そして、シャッタ羽根の作動を全てモータで行わせるようにすることは、デジタルカメラの場合にも可能であり、特に、先羽根と後羽根とを有していて、電子ビューファインダを備えたカメラに採用したときには、上記のような複雑な作動を行わせるのに有効となる。
【０００６】
【発明が解決しようとする課題】
ところで、光学ファインダを備えたデジタル一眼レフカメラは、撮影者が直立してカメラを両手で構えて撮影をする場合は、フィルムを使用するカメラと同じようにして撮影することが可能である。しかしながら、デジタルカメラというと、電子化されたカメラというイメージが強いため、シャッタ音は仕方がないにしても、ミラーの作動音がしたり、一瞬とはいえ被写体が見えなくなるというような点は、決して好ましいこととは言えない。また、両手で把持して撮影する場合、ファインダから眼を離すことができないため、カメラを下方へ向けて近接撮影を行う場合などには、身体をかがめて無理な姿勢で撮影しなければならないという不便さがある。
【０００７】
他方、電子ビューファインダを備えたデジタルカメラの場合は、ミラーの作動音がない。また、カメラを把持して撮影するときにはカメラを身体から離して行うため、カメラを下方へ向けて近接撮影を行う場合などにも、余り身体をかがめずに済むという利点がある。しかしながら、撮影者が直立してカメラを両手で構えて撮影をする場合にもカメラを身体から離さなければならないので、手ぶれを起こす可能性が大きく、また、太陽などを背負って順光で撮影するとき、モニターの画面に光があたって見にくくなるというような問題点がある。更に、シャッタ羽根の作動を全てモータで行わせるようにする場合には、モータをカメラ本体側でなくシャッタユニットに組み付けることが製作上極めて有利であるが、そのようにした場合には、そのシャッタユニットをカメラ内に、どのようにして配置したらよいかというような問題もある。
【０００８】
本発明は、このような問題点を解決するためになされたものであり、その目的とするところは、フォーカルプレンシャッタを備えていて、光学ファインダと電子ビューファインダとを任意に選択して撮影することが可能な極めて優れた構成のデジタル一眼レフカメラを提供することである。
【０００９】
【課題を解決するための手段】
上記の目的を達成するために、本発明のデジタル一眼レフカメラは、撮影レンズを透過した被写体光を反射光と透過光に分光するハーフミラーと、カメラの電源スイッチのオン・オフに関係なく前記反射光によって被写体像を常に観察することの可能な光学ファインダ系と、前記電源スイッチがオンのときには常に前記透過光によって被写体光の光電変換を行い撮影時には光電変換後の画像情報がメモリーに転送される撮像素子と、前記電源スイッチがオンのときには撮影時を除き常に前記撮像素子からの画像情報で被写体像を表示し観察することの可能なモニターと、前記撮像素子の前面に配置されており少なくとも前記電源スイッチがオンであって撮影をしていないときには露光開口を全開状態にしているフォーカルプレンシャッタと、を備えており、前記フォーカルプレンシャッタは、撮影時において順次一方向へ露光作動を開始する先羽根及び後羽根を備えていて、撮影時には、その初期段階で前記先羽根が前記露光開口を覆うことによって前記撮像素子の電荷を放出した後、前記先羽根と前記後羽根による露光作動が行われ、露光作動終了後は前記撮像素子に蓄積された画像情報を前記メモリーに転送した後、前記後羽根だけを復帰させ前記露光開口を開くようにする。
【００１１】
また、本発明のデジタル一眼レフカメラにおいては、前記ハーフミラーが、前記撮像素子へ向かう光を直進させ、前記光学ファインダ系へ向かう光を略直角に反射するようにするために、前記撮影レンズの光軸に対して略４５度に傾斜して配置されており、前記フォーカルプレンシャッタの駆動機構が、前記露光開口の周辺近傍であって前記光学ファインダ系へ反射された光とは逆方向の位置に配置されているようにすると、カメラ内での駆動機構の配置構成が有利になる。
【００１２】
また、本発明のデジタル一眼レフカメラにおいては、前記露光開口が略長方形をしていて、前記光学ファインダ系は前記露光開口の一方の短辺側に配置され、前記駆動機構は前記露光開口の他方の短辺側に配置されているようにすると、カメラの概観デザインの選択に幅がでる。
【００１３】
更に、本発明のデジタル一眼レフカメラにおいては、前記駆動機構が、前記先羽根を作動させる先羽根用モータと、前記後羽根を作動させる後羽根用モータと、を備えているようにすると、各羽根ごとに任意の方向へ作動させることが可能となり、電源をオフにしたときには露光開口を何れか一方の羽根で覆っておくようにするなど、デジタルカメラとしての制御方法の選択に幅がでる。
【００１４】
【発明の実施の形態】
本発明の実施の形態を、図示した実施例によって説明する。尚、図１は実施例のカメラ構成を示した説明図である。また、図２及び図３は、実施例のカメラに用いられているフォーカルプレンシャッタの初期状態（電源オフ状態）を示したものであって、図２はカメラに組み込まれたとき被写体側から視た平面図であり、図３は図２の下方から視た要部断面図である。更に、図４は実施例におけるフォーカルプレンシャッタの制御回路の一例を示したブロック図である。そして、図５〜図１１は、実施例におけるフォーカルプレンシャッタの作動を説明するためのものである。
【００１５】
そこで、実施例の構成を図１〜図３を用いて説明する。先ず、図１に示すように、本実施例のカメラは、撮影レンズ１に入射した被写体光が、光軸に対して４５度に傾けて取り付けられたハーフミラー２によって分光され、透過して直進した光は、撮像素子３の撮像面に導かれ、また、９０度の角度で上方へ反射された光は、光学ファインダ系の焦点板４，ペンタプリズム５，接眼レンズ６を介して外部に導かれるようになっている。また、撮像素子３の前面には、フォーカルプレンシャッタ７が配置されており、その駆動機構部８は、露光開口の周辺近傍であって、光学ファインダ系へ反射された光とは逆方向の位置に配置されている。
【００１６】
次に、図２及び図３を用いて、上記のフォーカルプレンシャッタ７の構成を詳しく説明する。図２の要部断面図である図３に示すように、シャッタ地板９，中間板１０，補助地板１１は、それらの間に所定の空間を設け、適宜な手段によって取り付けられており、シャッタ地板９と中間板１０との間を先羽根１２の羽根室とし、中間板１０と補助地板１１との間を後羽根１３の羽根室としているが、先羽根１２と後羽根１３は図２に示してあり、図３においては図示を省略している。また、図２に示すように、合成樹脂製のシャッタ地板９の中央部には長方形を縦長にした開口部９ａが形成されているが、中間板１０と補助地板１１にも、図示していない同じ形状の開口部が形成されており、それらの三つの開口部を重ねて配置することによって露光開口が形成されている。
【００１７】
図２において、シャッタ地板９の背面側、即ち撮像素子３側には、軸９ｂと、ストッパ９ｃ，９ｄ，９ｅとが設けられていて、夫々は中間板１０と補助地板１１に形成された孔を貫通して、それらの先端が、補助地板１１の背面側に僅かに突き出ており、その軸９ｂには、先羽根１２と後羽根１３とが回転可能に取り付けられている。また、先羽根１２は、時計方向の回転をストッパ９ｃによって停止させられ、反時計方向の回転は、その張出部１２ａがストッパ９ｄに当接して停止させられるようになっており、後羽根１３は、反時計方向の回転をストッパ９ｅによって停止させられ、時計方向の回転は、その張出部１３ａがストッパ９ｄに当接して停止させられるようになっている。
【００１８】
また、シャッタ地板９の表面側，即ち被写体側には、フォトリフレクタ１４，１５が取り付けられている。これらのフォトリフレクタ１４，１５は、図示していない発光部と受光部を備えていて、それらの発光部から出射した光は、シャッタ地板９に形成された孔９ｆ，９ｇと、中間板１０に形成された孔１０ａ，１０ｂを通り、補助地板１１に取り付けられている図示していない反射シートで反射され、夫々の受光部に入射するようになっている。このようなフォトリフレクタ１４，１５は、後述の説明からも分かるように、夫々、先羽根１２と後羽根１３の位置検出を行うためのものである。尚、本実施例においては、光電検出器として一般に用いられるフォトカプラのうち、フォトリフレクタを採用しているが、フォトインターラプタを採用しても一向に差し支えない。
【００１９】
シャッタ地板９の表面側には、先羽根１２及び後羽根１３の駆動機構が取り付けられている。この駆動機構の構成は、特開２０００−６００８８号公報に記載のアクチュエータと略同じ構成をしていて、ムービングマグネット型モータと称されている二つのモータを一つの共通の基枠１６の上に構成したものである。即ち、この基枠１６は合成樹脂製であって、図３に示すように、シャッタ地板９の取付部９ｈ，９ｉにビス１７，１８によって取り付けられており、そこに合成樹脂製の二つのカバー枠１９，２０が取り付けられている。また、このカバー枠１９，２０は、円筒形をした植木鉢を逆さにしたような形状をしていて、周知のように、図示していないフック部によって基枠１６に止められている。
【００２０】
カバー枠１９，２０の中空部には同じ構成の回転子２１，２２が配置されていて、各々のカバー枠１９，２０と基枠１６とに軸受けされている。これらの回転子２１，２２は、径方向に着磁された２極の永久磁石製であるが、本実施例の場合には、それらの回転軸と、径方向へ張り出した部位だけは合成樹脂製となっていて、それらの張り出した部位に設けられた駆動ピン２１ａ，２２ａは、夫々、基枠１６に形成された長孔１６ａ，１６ｂと、シャッタ地板９，中間板１０，補助地板１１に形成された同形の長孔を貫通している。そして、駆動ピン２１ａは、後羽根１３に形成された長孔１３ｂに嵌合し、駆動ピン２２ａは先羽根１２の長孔１２ｂに嵌合していて、先羽根１２と後羽根１３を回転させ得るようになっている。
【００２１】
また、基枠１６とカバー枠１９，２０で構成された二つの固定子枠には、回転子２１，２２の軸受け部を覆うようにしてコイル２３，２４が巻回されている。更に、カバー枠１９，２０には、夫々、四つの長溝が形成されていて、カバー枠１９の長溝には、鉄ピン２５，２６，２７，２８が圧入され、カバー枠２０の長溝には、鉄ピン２９，３０，３１，３２が圧入されている。そして、カバー枠２１，２２の外周面には、円筒形をしたヨーク３３，３４が嵌合されている。尚、図２においては（図５，図６，図７，図９，図１０においても同じ）、回転子２１，２２における２極の境界を破線で示してある。また、鉄ピン２５，２６と鉄ピン２７，２８とは、二つの回転子２１，２２の回転軸を通る直線に対して対称となる位置に配置されており、鉄ピン２９，３０と鉄ピン３１，３２も、同じ関係位置に配置されている。
【００２２】
次に、上記のような構成をした駆動機構の制御回路の一例を、図４に示したブロック図によって簡単に説明する。図４において、「先羽根モータ」と記載しているのは、上記の回転子２２を有するモータのことであり、「後羽根モータ」の方は、回転子２１を有するモータのことである。先ず、入力回路には、被写体の輝度情報も含めて種々の情報が処理されて、信号として入ってくる。それによって、先羽根モータと後羽根モータのどちらに通電するのか、また、正方向と逆方向のどちら向きに電流を供給するのかが決定され、決められた方のモータに対しては、決められた方向の電流が、温度変化等を考慮し、定電流出力回路を介して供給されるようになっている。そして、そのような電流の供給は、二つのモータに対して略同時に行うことも可能になっている。また、各々の制御電流設定回路には可変抵抗が接続されていて、製作時にそれらの抵抗値を調整することによって定電流値を変え、所定の条件に合致するように先羽根と後羽根との作動特性を調整することができるようになっている。
【００２３】
次に、他の図面も用いて、本実施例の作動を説明するが、図８及び図１１のタイミングチャートに記載されている「先羽根モータ駆動パルス」及び「後羽根モータ駆動パルス」というのは、上記のコイル２４，２３に供給される電流の方向と時間を示したものであって、上側の凸が電流を正方向に供給した場合であり、下側の凸が逆方向へ供給した場合である。また、「先羽根ＰＲ信号」及び「後羽根ＰＲ信号」というのは、上記のフォトリフレクタ１４及び１５が検出した信号のことであり、補助地板１１に設けられた反射シートからの反射光を、受光した場合がHighであり、受光しない場合がLowである。
【００２４】
また、図１及び図２は、カメラの電源がオフの状態、即ちカメラの不使用状態を示している。そのため、各コイル２３，２４には通電されていない。しかしながら、余程の振動でもない限り、回転子２１，２２はこの状態を維持し、開口部９ａ即ち露光開口を全開にしている。従って、この状態では、光学ファインダの接眼レンズ６を覗くと、撮影レンズ１に入射した光がハーフミラー２に反射され、接眼レンズ６に導かれているので、いつでも観察することができるようになっている。また、フォーカルプレンシャッタ７の露光開口が全開になっているので、撮影レンズ１に入射した光は、ハーフミラー２で分光されて撮像素子３にも導かれているが、電源がオフであるため、モニターでの観察はできない。
【００２５】
ここで、図２の電源オフ状態において、特別のことがない限りは、回転子２１，２２がこの状態を維持していられる理由を説明する。但し、このことは周知であるし、回転子２１について説明すれば、必然的に回転子２２についても理解することができるから、ここでは、回転子２１についてだけ説明することにする。図２の状態では回転子２１のＮ極と鉄ピン２６との間に作用する吸引力が、Ｎ極と鉄ピン２５との間に作用する吸引力より大きくなっている。他方、Ｓ極の方は、Ｓ極と鉄ピン２７との間に作用する吸引力が、Ｓ極と鉄ピン２８との間に作用する吸引力より大きくなっている。その結果、回転子２１には時計方向へ回転する力が付与されていて、駆動ピン２１ａが後羽根１３を反時計方向へ回転させるようにしているため、後羽根１３がストッパ９ｅに押し付けられ、この状態が維持されている。尚、このような状態は、条件次第によっては、鉄ピン２５，２７又は鉄ピン２６，２８が無くても維持できる場合があるが、本実施例の場合には、確実性を考えて、それらの全てを備えるようにしている。
【００２６】
このような図１及び図２の状態において、電源スイッチをオンにすると、電子ビューファインダが機能する。そのため、撮像素子３に結像された画像をモニターで観察することが可能になる。このとき、コイル２３，２４には通電しなくても構わないが、万が一、回転子２１，２２が図２の状態を維持していない場合があるかもしれないので、本実施例の場合には、念のため、コイル２３，２４に対して所定の時間だけ通電する。それによって、コイル２３には逆方向の通電が行われるので、回転子２１には時計方向へ回転する力が与えられ、他方、コイル２４には正方向の通電が行われるので、回転子２２には反時計方向へ回転する力が与えられ、図２の状態が確実に得られるようになる。このことから、図２は電源がオフの状態と、電源がオンになったが未だ撮影が行われていない状態の両方を示したものということができ、後者の状態において撮影する場合には、既に説明したような理由により、撮影者が、光学ファインダ又は電子ビューファインダを、切替え機構などを操作することなく、任意に選択して撮影することになる。
【００２７】
そこで、先ず、図２のほかに図５〜図８を用いて、フラッシュ撮影が行われる場合の作動を説明するが、本実施例の作動説明においては、フラッシュ撮影モードと通常撮影モードとを切り替えて撮影するようにした形式のカメラを前提にしている。しかし、本実施例は、所定のシャッタスピード（有効露光時間）より速いシャッタスピードで撮影する場合はストロボが発光せず、所定のシャッタスピード以下で撮影する場合には、自動的にストロボが発光するようにすることも可能であって、そのことは、以下の説明から理解することができる。
【００２８】
撮影に際してレリーズボタンを押すと、先ず、その初期段階で、コイル２４に対して、逆方向の通電が行われる。そのため、回転子２２は、時計方向へ回転させられ、先羽根１２を反時計方向へ回転させる。また、先羽根１２は、その作動の初期段階で、フォトリフレクタ１４の光路から退くため、フォトリフレクタ１４はHigh信号を出力する。その後、先羽根１２は、開口部９ａを閉鎖した後、張出部１２ａがストッパ９ｄに当接して停止させられ、その直後には、コイル２４に対する通電が断たれる。その状態が図５に示されている。
【００２９】
このようにして、コイル２４に通電が断たれている時間は極めて僅かである。しかしながら、このときにも回転子２２は、この状態を維持できるようになっている。即ち、Ｎ極と鉄ピン３０との間に作用する吸引力が、Ｎ極と鉄ピン２９との間に作用する吸引力よりも大きく、Ｓ極と鉄ピン３１との間に作用する吸引力が、Ｓ極と鉄ピン３２との間に作用する吸引力よりも大きいからである。そして、このようにして開口部９ａが閉鎖された状態において、それまで撮像素子３に蓄積されていた電荷が放出されると、撮影準備が整ったことになり、フラッシュ回路も機能し得る状態となる。
【００３０】
撮影準備状態が得られると、コイル２４に対して正方向の電流が供給される。そのため、回転子２２は反時計方向へ回転させられ、先羽根１２を時計方向へ回転させて、開口部９ａを開いていく。その後、先羽根１２は、開口部９ａを全開にした直後であって未だストッパ９ｃに当接する前に、フォトリフレクタ１４の光路を遮断するが、まさに、その遮断を行う瞬間が図６に示されている。そして、フォトリフレクタ１４の光路が遮断されると、フォトリフレクタ１４からはLow信号が出力されるため、フラッシュ回路が働いてストロボが発光する。このように、本実施例においては、撮影準備状態が得られた後であって、フォトリフレクタ１５の出力信号がLowであり、フォトリフレクタ１４の出力信号がHighからLowになったときだけ、ストロボが発光するようになっている。そして、殆ど時機を同じくして、先羽根１２はストッパ９ｃに当接して停止させられ、その直後には、コイル２４に対する通電が遮断される。
【００３１】
その後、他方のモータのコイル２３に対して正方向の通電が行われるため、回転子２１は反時計方向へ回転させられ、後羽根１３を時計方向へ回転させる。そのため、後羽根１３は開口部９ａを閉じてゆき、完全に閉じた直後に、張出部１３ａがストッパ９ｄに当接して停止させられる。そして、その直後には、コイル２３に対する通電が断たれるが、その状態が図７に示されている。従って、この場合にはフラッシュ撮影が行われたわけであるが、先羽根１２と後羽根１３によって制御されたシャッタスピードは、図８に示したような時間となる。そして、この閉鎖状態において、撮影済みの画像信号がメモリーに転送されることになるが、その間、コイル２３には通電されていなくても、回転子２１が図７の状態を維持していられることは、これまでの説明から自明と考えるので、詳しい説明は省略する。
【００３２】
上記のようにして画像信号の転送が終了すると、コイル２３に対して逆方向の通電が行われるため、回転子２１は時計方向へ回転させられ、後羽根１３を反時計方向へ回転させる。そのため、後羽根１３は開口部９ａを開いてゆき、全開にした直後に、ストッパ９ｅに当接して停止させられる。そして、その直後には、コイル２３に対する通電が断たれることによって、電源がオンのときの図２の状態に復帰する。従って、次の撮影を行う場合には、いずれかのファインダを選択してレリーズボタンを押しさえすればよく、また、当分、カメラを使用しない場合には、電源をオフにすればよいことになる。
【００３３】
次に、上記のようにフラッシュ撮影を行わず、通常の撮影が行われる場合の作動を、主に図２，図５，図７，図９〜図１１を用いて説明するが、上記の作動説明と重複するところについては、説明を省略したり簡略化することにする。先ず、電源スイッチをオンにし撮影が行われるまでは、上記の場合と同じであって、図２の状態である。また、その図２の状態においてレリーズボタンが押され、図５の状態にになって、それまで撮像素子３に蓄積されていた電荷が放出され、撮影準備が整うところまでも、上記の場合と同じである。しかしながら、通常撮影モードに設定されているので、フラッシュ回路は機能しないようになっている。
【００３４】
このようにして撮影準備状態が得られると、コイル２４に対して正方向の電流が供給される。そのため、回転子２２は反時計方向へ回転させられ、先羽根１２を時計方向へ回転させて、開口部９ａを開いていくが、先羽根１２が開口部９ａを全開にする前に、コイル２３に対して正方向の通電が行われるため、回転子２１は反時計方向へ回転させられ、後羽根１３を時計方向へ回転させる。それによって、後羽根１３が開口部９ａを閉じていくことになるが、そのときの状態が図９に示されている。そして、この状態においては、フォトリフレクタ１５の出力信号は、既にHighになっている。
【００３５】
その後、撮像素子３は、先羽根１２と後羽根１３とが形成するスリットにより露光されてゆくが、先羽根１２が、開口部９ａを全開にした直後であって未だストッパ９ｃに当接する前に、フォトリフレクタ１４の光路を遮断する瞬間が図１０に示されている。そして、フォトリフレクタ１４の光路が遮断されると、フォトリフレクタ１４からはLow信号が出力されるが、この場合には、通常撮影モードになっていて、フラッシュ回路が機能しないように設定されているため、ストロボは発光しない。また、仮に、フラッシュ回路が機能するように設定されていたとしても、既にフォトリフレクタ１５の出力信号がHighになっているため、ストロボは発光しない。このことから分かるように、所定のシャッタスピードより速い時間で撮影が行われる場合はストロボが発光せず、所定のシャッタスピード以下で撮影が行われる場合は自動的にストロボが発光するような撮影モードを設けるようにすることが可能となる。
【００３６】
このような図１０の状態となった後、先羽根１２はストッパ９ｃに当接して停止し、その直後には、後羽根１３が、その張出部１３ａをストッパ９ｄに当接させて停止する。また、先羽根１２と後羽根１３が停止した後には、コイル２４とコイル２３に対する通電も順次遮断され、図７の状態となる。そして、この閉鎖状態において、撮影済みの画像信号がメモリーに転送された後は、コイル２３に対して逆方向の通電が行われ、後羽根１３が反時計方向へ回転してストッパ９ｅによって停止され、コイル２３に対する通電が断たれることによって、電源がオンのときの図２の状態に復帰する。
【００３７】
このように、本実施例の場合には、ハーフミラー２を用いているので、従来のデジタル一眼レフカメラのように、ミラーの作動音がせず、デジタルカメラとして、よりふさわしいものとなっている。また、長方形をした露光開口の一方の短辺側に駆動機構部を配置し、先羽根と後羽根をロータリー式に作動させているので、各羽根の面積と回転角度を小さくすることが可能となり、且つ他方の短辺側に光学ファインダを配置することによって、カメラの外観形状をコンパクトにでき、撮影に際しては、露光開口を縦にして構えても横にして構えても、違和感のないものとすることができる。
【００３８】
尚、上記の実施例においては、電源がオフのときにも露光開口が全開となっている場合で説明したが、撮像素子の光電変換機能の劣化を抑制するために、電源がオフのときには、露光開口を先羽根又は後羽根によって閉鎖状態とし、撮像素子に光が当たらないようすることも可能である。また、上記の実施例においては、夫々独自に作動する先羽根と後羽根が、各々１枚の羽根で構成されているが、周知のフォーカルプレンシャッタのように、各々複数枚の羽根で構成されているようにしても差し支えないし、先羽根と後羽根とを備えず、１枚又は１組の羽根だけを備えるようにしても差し支えない。そのため、古くから知られている円盤状のロータリーシャッタであっても構わない。
【００３９】
更に、上記の実施例では、先羽根と後羽根が露光作動を行う場合、両者が露光開口を、必ず略左側から右側へ作動するようにしているが、逆方向へ作動させたときにも露光作動を行わせるようにすることが可能である。即ち、上記のようにして前回の撮影が終了し、図２の状態に復帰した後、次回の撮影が行われる場合には、図５の状態ではなく図７の状態にして露光開口を閉じてから、露光作動を行わせるようにしてもよい。従って、その場合には、前回の撮影のときに後羽根だったものが先羽根になり、先羽根だったものが後羽根となる。そして、このことは、１枚又は１組の羽根だけを備えるようにした場合も同じである。
【００４０】
【発明の効果】
以上のように、本発明のデジタル一眼レフカメラは、撮影環境に応じて、光学ファインダと電子ビューファインダとを、何の切替え操作も必要とすることなく、自由に選択して撮影することが可能であるという特徴を有している。
【図面の簡単な説明】
【図１】実施例のカメラ構成を示した説明図である。
【図２】実施例のカメラに用いられているフォーカルプレンシャッタの初期状態（電源オフ状態）を示したものであって、カメラに組み込まれたとき被写体側から視た平面図である。
【図３】図２の下方から視た要部断面図である。
【図４】実施例におけるフォーカルプレンシャッタの制御回路の一例を示したブロック図である。
【図５】  図２に示した構成を図２と同様にして視た平面図であって、撮影に際してレリーズが行われたが未だ露光作動が行われる前の状態を示したものである。
【図６】図２に示した構成を図２と同様にして視た平面図であって、露光作動中にフラッシュを発光させる瞬間の状態を示したものである。
【図７】図２に示した構成を図２と同様にして視た平面図であって、露光作動の終了直後の状態を示したものである。
【図８】図２に示した構成のフォーカルプレンシャッタによってフラッシュ撮影が行われる場合の説明に必要なタイミングチャートである。
【図９】図２に示した構成を図２と同様にして視た平面図であって、フラッシュを発光させない場合における露光作動開始直後の状態を示したものである。
【図１０】図２に示した構成を図２と同様にして視た平面図であって、フラッシュを発光させない場合における露光作動終了直前の状態を示したものである。
【図１１】図２に示した構成のフォーカルプレンシャッタによってフラッシュ撮影が行われない場合の説明に必要なタイミングチャートである。
【符号の説明】
１                      撮影レンズ
２                      ハーフミラー
３                      撮像素子
４                      焦点板
５                      ペンタプリズム
６                      接眼レンズ
７                      フォーカルプレンシャッタ
８                      駆動機構部
９                      シャッタ地板
９ａ                    開口部
９ｂ                    軸
９ｃ，９ｄ，９ｅ        ストッパ
９ｆ，９ｇ，１０ａ，１０ｂ  孔
９ｈ、９ｉ              取付部
１０                    中間板
１１                    補助地板
１２                    先羽根
１２ａ，１３ａ          張出部
１２ｂ，１３ｂ，１６ａ，１６ｂ  長孔
１３                    後羽根
１４，１５              フォトリフレクタ
１６                    基枠
１７，１８              ビス
１９，２０              基枠
２１，２２              回転子
２１ａ，２２ａ          駆動ピン
２３，２４              コイル
２５，２６，２７，２８，２９，３０，３１，３２  鉄ピン
３３，３４              ヨーク
【図１】
0004667590.tif 000002
【図２】
0004667590.tif 000003
【図３】
0004667590.tif 000004
【図４】
0004667590.tif 000005
【図５】
0004667590.tif 000006
【図６】
0004667590.tif 000007
【図７】
0004667590.tif 000008
【図８】
0004667590.tif 000009
【図９】
0004667590.tif 000010
【図１０】
0004667590.tif 000011
【図１１】
0004667590.tif 000012